(57)【要約】【課題】より適切にセンサ機器の電池の消耗を抑える。又は、無駄なエネルギーの消費を抑制する。【解決手段】計測システム１００が、対象空間の環境を調整する設備機器４０と、対象空間における環境に関する値を測定するセンサ機器３０と、センサ機器３０により測定された環境に関する値に基づいて設備機器４０を制御する統合コントローラ１０と、を備え、設備機器４０は、設備機器４０の運転状態を検出する運転状態検出部を有し、統合コントローラ１０は、運転状態検出部により検出された運転状態に基づいてセンサ機器３０の単位時間当たりのスリープ時間を決定するスリープ時間決定部を有し、センサ機器３０は、スリープ時間決定部により決定された単位時間当たりのスリープ時間に従ってセンサ機器３０をスリープ状態にするスリープ制御部を有する。【選択図】図１
2014173745.tif 000002
【特許請求の範囲】
【請求項１】
対象空間の環境を調整する設備機器と、
前記対象空間における前記環境に関する値を測定するセンサ機器と、
前記センサ機器により測定された前記環境に関する値に基づいて前記設備機器を制御する統合コントローラと、を備え、
前記設備機器は、前記設備機器の運転状態を検出する運転状態検出部を有し、
前記統合コントローラは、前記運転状態検出部により検出された前記運転状態に基づいて前記センサ機器の単位時間当たりのスリープ時間を決定するスリープ時間決定部を有し、
前記センサ機器は、前記スリープ時間決定部により決定された前記単位時間当たりのスリープ時間に従って該センサ機器をスリープ状態にするスリープ制御部を有する、
ことを特徴とする計測システム。
【請求項２】
前記センサ機器が、前記スリープ状態である間は、該センサ機器における受信を禁止する受信禁止部をさらに有し、
前記統合コントローラ又は該統合コントローラに通信可能に接続される装置は、
前記センサ機器が前記スリープ状態からウェイクアップした直後に、前記スリープ時間決定部により決定された前記単位時間当たりのスリープ時間を前記センサ機器へ送信するスリープ時間送信部をさらに有する、
ことを特徴とする請求項１に記載の計測システム。
【請求項３】
前記スリープ制御部は、所定の間隔で、繰り返し前記スリープ状態にする、
ことを特徴とする請求項１又は２に記載の計測システム。
【請求項４】
前記センサ機器は、測定された前記環境に関する値を示す測定データを送信する通信部をさらに有し、
前記設備機器は、前記運転状態検出部により検出された前記運転状態を送信する運転状態送信部をさらに有し、
前記統合コントローラは、
前記センサ機器から送られてきた前記測定データに基づいて前記設備機器の制御情報を作成する制御情報作成部と、
該制御情報作成部により作成された制御情報を前記設備機器へ送信する制御情報送信部と、を有する、
ことを特徴とする請求項１乃至３のいずれか一項に記載の計測システム。
【請求項５】
前記統合コントローラとは有線又は無線で通信し、前記センサ機器とは無線で通信して、前記センサ機器から受け取った測定データを前記統合コントローラに渡し、前記統合コントローラから受け取ったスリープ時間情報を前記センサ機器に渡す無線親機を備える、
ことを特徴とする請求項１乃至４のいずれか一項に記載の計測システム。
【請求項６】
前記センサ機器は、該センサ機器が前記スリープ状態からウェイクアップした直後に、測定データを取得し、該測定データを送信する測定データ送信部を備える、
ことを特徴とする請求項１乃至５のいずれか一項に記載の計測システム。
【請求項７】
前記設備機器は、
前記運転状態検出部により検出された前記運転状態に基づいて、前記設備機器の運転状態が変化したか否かを判断する状態変化判断部と、
前記状態変化判断部により前記設備機器の運転状態が変化したと判断された場合に、その変化後の運転状態を前記スリープ時間決定部へ送信する運転状態送信部と、
をさらに有する、
ことを特徴とする請求項１乃至６のいずれか一項に記載の計測システム。
【請求項８】
前記スリープ時間決定部は、前記設備機器の消費エネルギーが大きいほど、前記センサ機器の単位時間当たりのスリープ時間を短くする、
ことを特徴とする請求項１乃至７のいずれか一項に記載の計測システム。
【請求項９】
前記スリープ時間決定部は、前記設備機器が運転停止している場合は、前記センサ機器の単位時間当たりのスリープ時間を第１の時間とし、前記設備機器が運転している場合は、前記センサ機器の単位時間当たりのスリープ時間を、前記第１の時間よりも短い第２の時間とする、
ことを特徴とする請求項１乃至８のいずれか一項に記載の計測システム。
【請求項１０】
前記スリープ時間決定部は、前記設備機器が前記対象空間の状態を大きく変化させる運転状態であるほど、前記センサ機器の単位時間当たりのスリープ時間を短くする、
ことを特徴とする請求項１乃至９のいずれか一項に記載の計測システム。
【請求項１１】
前記設備機器は、空気調和機から構成される、
ことを特徴とする請求項１乃至１０のいずれか一項に記載の計測システム。
【請求項１２】
前記環境に関する値は、前記対象空間の温度、湿度、照度の少なくとも１つを含む、
ことを特徴とする請求項１乃至１１のいずれか一項に記載の計測システム。
【請求項１３】
対象空間の環境を調整する設備機器と、
前記対象空間における前記環境に関する値を測定するセンサ機器と、
前記センサ機器により測定された前記環境に関する値に基づいて前記設備機器を制御する統合コントローラと、
前記設備機器の運転状態を検出し、該運転状態を前記統合コントローラへ送信する装置と、を備え、
前記統合コントローラは、前記運転状態に基づいて前記センサ機器の単位時間当たりのスリープ時間を決定するスリープ時間決定部を有し、
前記センサ機器は、前記スリープ時間決定部により決定された前記単位時間当たりのスリープ時間に従って該センサ機器をスリープ状態にするスリープ制御部を有する、
ことを特徴とする計測システム。
【請求項１４】
対象空間の環境を調整する設備機器の運転状態を受信する運転状態受信部と、
センサ機器により測定される前記環境に関する値を示す測定データを受信する測定データ受信部と、
前記運転状態に基づいて前記センサ機器の単位時間当たりのスリープ時間を決定するスリープ時間決定部と、
前記単位時間当たりのスリープ時間を送信するスリープ時間送信部と、
前記測定データに基づいて前記設備機器の制御情報を作成する制御情報作成部と、
前記制御情報作成部により作成された制御情報を送信する制御情報送信部と、
を備える、
ことを特徴とする統合コントローラ。
【請求項１５】
コンピュータを、
対象空間における現在の環境に関する値を測定するセンサ機器により測定された前記環境に関する値に基づいて、前記対象空間の前記環境を調整する設備機器を制御する設備機器制御部、
前記設備機器の運転状態を検出する運転状態検出部、
前記運転状態検出部により検出された前記運転状態に基づいて前記センサ機器の単位時間当たりのスリープ時間を決定するスリープ時間決定部、
前記スリープ時間決定部により決定された前記単位時間当たりのスリープ時間に従って前記センサ機器をスリープ状態にするスリープ制御部、
として機能させるためのプログラム。
【請求項１６】
運転状態検出部が、対象空間の環境を調整する設備機器の運転状態を検出することと、
スリープ時間決定部が、前記検出された運転状態に基づいて、前記対象空間における前記環境に関する値を測定するセンサ機器の単位時間当たりのスリープ時間を決定することと、
スリープ制御部が、前記決定された単位時間当たりのスリープ時間に従って前記センサ機器をスリープ状態にすることと、
を含む、
ことを特徴とするセンサ機器制御方法。
【発明の詳細な説明】
【技術分野】
【０００１】
本発明は、センサ機器により温度等の測定を行う計測システム、統合コントローラ、プログラム、及びセンサ機器制御方法に関する。
【背景技術】
【０００２】
居室の温度や湿度等を計測し、その計測値に応じて居室の空気を適切に調和する、すなわち空調のための制御を行う空調システムが知られている。例えば、特許文献１に記載の空気調和機は、室内機とリモコンとを備え、リモコンがリモコンサーミスタによりその周辺の空気温度（リモコン温度）を検出する。このリモコンは、リモコン温度を室内機へ送信し、室内機は、受信したリモコン温度などに基づいて室内の空調を行う。
【０００３】
特許文献１に記載のリモコンは、それに内蔵される電池の消耗を抑えるために、検出したリモコン温度に応じて、そのリモコン温度を室内機へ送信する間隔を制御する。
【先行技術文献】
【特許文献】
【０００４】
【特許文献１】特開２０１１−５８７２１号公報
【発明の概要】
【発明が解決しようとする課題】
【０００５】
しかしながら、特許文献１に記載のリモコンでも、時間の経過とともに、リモコンの電池は消耗する。特許文献１に記載のリモコンのように温度などを測定するセンサ機器において、その電源となる電池の消耗をより一層低減させる技術が望まれている。
【０００６】
本発明は、このような実情に鑑みてなされたものであり、センサ機器の電源となる電池の消耗を抑えることが可能な計測システム、統合コントローラ、プログラム、及びセンサ機器制御を提供することを目的とする。
【課題を解決するための手段】
【０００７】
上記目的を達成するため、本発明に係わる計測システムは、対象空間の環境を調整する設備機器と、前記対象空間における前記環境に関する値を測定するセンサ機器と、前記センサ機器により測定された前記環境に関する値に基づいて前記設備機器を制御する統合コントローラと、を備え、前記設備機器は、前記設備機器の運転状態を検出する運転状態検出部を有し、前記統合コントローラは、前記運転状態検出部により検出された前記運転状態に基づいて前記センサ機器の単位時間当たりのスリープ時間を決定するスリープ時間決定部を有し、前記センサ機器は、前記スリープ時間決定部により決定された前記単位時間当たりのスリープ時間に従って該センサ機器をスリープ状態にするスリープ制御部を有する。
【発明の効果】
【０００８】
本発明によれば、設備機器の運転状態に基づいて決定される単位時間当たりのスリープ時間に従って、センサ機器は、電力消費が少ないスリープ状態となる。これにより、センサ機器の電源となる電池の消耗を抑えることが可能となる。
【図面の簡単な説明】
【０００９】
【図１】本発明の実施形態１に係る計測システムの構成を示すブロック図である。
【図２】本発明の実施形態１に係る計測システムの統合コントローラの構成を機能ごとに分けて示すブロック図である。
【図３】本発明の実施形態１に係る計測システムの無線親機の構成を機能ごとに分けて示すブロック図である。
【図４】本発明の実施形態１に係る計測システムのセンサ機器の構成を機能ごとに分けて示すブロック図である。
【図５】本発明の実施形態１に係る計測システムの設備機器の構成を機能ごとに分けて示すブロック図である。
【図６】本発明の実施形態１に係る計測方法について、統合コントローラによる処理、詳しくは設備機器の制御に係る処理を示すフローチャートである。
【図７】本発明の実施形態１に係る計測方法について、無線親機による処理、詳しくはセンサ機器に対するスリープ時間設定要求に係る処理を示すフローチャートである。
【図８】本発明の実施形態１に係る計測方法について、センサ機器による処理、詳しくはスリープ制御に係る処理を示すフローチャートである。
【図９】図８に示す処理のうちスリープ実行及び復帰に係る処理の詳細を示すフローチャートである。
【図１０】本発明の実施形態１に係る計測方法について、設備機器による処理、詳しくは状態情報の送信に係る処理を示すフローチャートである。
【図１１】本発明の実施形態１に係る計測システムの通信シーケンスを示す図である。
【図１２】本発明の実施形態２に係る計測方法について、設備機器による処理、詳しくは状態情報の送信に係る処理を示すフローチャートである。
【図１３】本発明の実施形態２に係る計測システムの通信シーケンスを示す図である。
【図１４】本発明の他の実施形態について、無線親機を有さない計測システムの構成を示すブロック図である。
【図１５】本発明の他の実施形態について、設備機器の運転状態を検出するための外部センサを有する計測システムの構成を示すブロック図である。
【発明を実施するための形態】
【００１０】
（実施形態１）
以下、本発明の実施形態１について、図面を参照して詳細に説明する。
【００１１】
本発明の実施形態１に係る計測システム１００は、例えばビルの部屋ごとの温度及び湿度（センサ測定値）を測定するシステムであって、各部屋の空気を調和するために用いられる。
【００１２】
図１に示すように、計測システム１００は、統合コントローラ１０と、ｉ個の無線親機２０＿１〜２０＿ｉと、ｊ個のセンサ機器３０＿１〜３０＿ｊと、ｋ個の設備機器４０＿１〜４０＿ｋと、から構成される。以下、無線親機２０＿１〜２０＿ｉの各々を特に区別しない場合、無線親機２０と表記する。センサ機器３０＿１〜３０＿ｊの各々を特に区別しない場合、センサ機器３０と表記する。設備機器４０＿１〜４０＿ｋの各々を特に区別しない場合、設備機器４０と表記する。
【００１３】
本実施形態では、無線親機２０とセンサ機器３０と設備機器４０とが、１：１で対応付けられる。無線親機２０の数（ｉ個）とセンサ機器３０の数（ｊ個）と設備機器４０の数（ｋ個）とは、互いに同じである。ただしこれに限られず、これらの数は、互いに異なっていてもよい。１つに対して複数を対応付けてもよい。
【００１４】
統合コントローラ１０は、無線親機２０の各々と通信線Ｌ２で接続され、複数の設備機器４０の各々と通信線Ｌ４で接続される。本実施形態では、統合コントローラ１０が、設備機器４０を制御する。具体的には、統合コントローラ１０は、センサ機器３０のいずれかにより測定された対象空間の環境に関する値（環境データ）に応じて、設備機器４０を動作変更させる。
【００１５】
無線親機２０はそれぞれ、統合コントローラ１０とは有線（通信線Ｌ２）で通信し、センサ機器３０とは無線（無線通信網Ｌ３）で通信して、センサ機器３０から受け取ったデータ（例えば測定データ）を統合コントローラ１０に渡し、統合コントローラ１０から受け取ったデータ（例えばスリープ時間情報）をセンサ機器に渡す。無線親機２０により、通信線を削減することが可能になる。無線親機２０は、統合コントローラ１０に通信可能に接続される装置に相当する。
【００１６】
本実施形態に係る統合コントローラ１０は、図２に示すように、制御部１１と、記憶部１２と、時間管理部１３と、通信Ｉ／Ｆ部１４と、通信Ｉ／Ｆ部１５と、ユーザＩ／Ｆ部１６と、制御情報作成部１７と、から構成される。通信Ｉ／Ｆ部１４には、通信線Ｌ４が接続される。通信Ｉ／Ｆ部１５には、通信線Ｌ２が接続される。なお、Ｉ／Ｆは、インターフェースを意味する。
【００１７】
統合コントローラ１０は物理的には、図示しないが、例えばＭＰＵ（Micro-Processing Unit）、ＲＡＭ（Random Access Memory）、ＲＯＭ（Read Only Memory）、ハードウェアタイマ、トランシーバ回路、電源回路、入力ボタン、表示器などから構成される。
【００１８】
制御部１１は、各設備機器４０（詳しくは、図５を参照して後述する運転状態検出部４６）により検出された運転状態に基づいて各センサ機器３０のスリープ時間を決定する。本実施形態では、スリープ時間決定部（制御部１１）が、統合コントローラ１０に内蔵されている。
【００１９】
通信Ｉ／Ｆ部１４は、統合コントローラ１０と各設備機器との間での通信（詳しくは、通信線Ｌ４を介した通信）を可能にする。通信Ｉ／Ｆ部１５は、統合コントローラ１０と各無線親機との間での通信（詳しくは、通信線Ｌ２を介した通信）を可能にする。
【００２０】
ユーザＩ／Ｆ部１６には、図示しない入力装置（キーボード等）を接続することができる。これにより、ユーザは、その入力装置を通じて、例えば無線親機２０、設備機器４０などの接続機器の登録、設備機器４０とセンサ機器３０との対応付けなどを行うことが可能になる。例えば、設備機器４０＿１とセンサ機器３０＿１とが対応付けられた場合は、設備機器４０＿１の運転状態に応じてセンサ機器３０＿１のスリープ時間が変更される。
【００２１】
制御情報作成部１７は、各センサ機器から送られてきた測定データに基づいて、そのセンサ機器に対応する設備機器の制御情報を作成する。そして、制御部１１は、通信Ｉ／Ｆ部１４を介して、制御情報作成部１７により作成された制御情報を設備機器へ送信する。本実施形態では、測定データ送信部（制御部１１及び通信Ｉ／Ｆ部１４）及び制御情報作成部１７が、統合コントローラ１０に内蔵されている。
【００２２】
本実施形態に係る無線親機２０の各々は、図３に示すように、制御部２１と、記憶部２２と、時間管理部２３と、通信Ｉ／Ｆ部２４と、通信Ｉ／Ｆ部２５と、ユーザＩ／Ｆ部２６と、から構成される。通信Ｉ／Ｆ部２４には、通信線Ｌ２が接続される。通信Ｉ／Ｆ部２５は、無線通信（無線通信網Ｌ３）のためのインターフェースとして機能する。
【００２３】
無線親機２０の各々は物理的には、図示しないが、例えばＭＰＵ、ＲＡＭ、ＲＯＭ、ハードウェアタイマ、トランシーバ回路、無線モジュール、アンテナ、電源回路、入力ボタン、及び表示器などから構成される。
【００２４】
制御部２１は、当該無線親機に対応するセンサ機器がウェイクアップした直後に、統合コントローラ１０（詳しくは、図２に示される制御部１１）により決定されたスリープ時間を、そのセンサ機器（詳しくは、図４に示される制御部３１）へ送信する。本実施形態では、スリープ時間送信部（制御部２１）が、各無線親機に内蔵されている。
【００２５】
通信Ｉ／Ｆ部２４は、各無線親機と統合コントローラ１０との間での通信（詳しくは、通信線Ｌ２を介した通信）を可能にする。通信Ｉ／Ｆ部２５は、各無線親機と各センサ機器との間での無線通信（詳しくは、無線通信網Ｌ３による通信）を可能にする。また、ユーザＩ／Ｆ部２６には、図示しない入力装置（キーボード等）を接続することができる。これにより、ユーザは、その入力装置を通じて、接続機器（例えばセンサ機器３０）の登録などを行うことが可能になる。
【００２６】
本実施形態に係るセンサ機器３０の各々は、図４に示すように、制御部３１と、記憶部３２と、時間管理部３３と、通信Ｉ／Ｆ部３４と、センサ部３５と、ユーザＩ／Ｆ部３６と、から構成される。通信Ｉ／Ｆ部３４は、無線通信（無線通信網Ｌ３）のためのインターフェースとして機能する。
【００２７】
センサ機器３０の各々は物理的には、例えばＭＰＵ、ＲＡＭ、ＲＯＭ、ハードウェアタイマ、無線モジュール、アンテナ、電源回路、入力ボタン、表示器、温湿度センサモジュールなどから構成される。
【００２８】
また、各センサ機器は、電源として交換可能な電池を備える。電池は、例えば一次電池からなる。ただしこれに限られず、電池の種類は任意であり、例えば二次電池であってもよい。
【００２９】
制御部３１は、統合コントローラ１０（詳しくは、図２に示される制御部１１）により決定されたスリープ時間だけ当該センサ機器をスリープさせる。本実施形態では、スリープ制御部（制御部３１）が、各センサ機器に内蔵されている。
【００３０】
また、制御部３１は、スリープ中は、当該センサ機器における受信を禁止する。本実施形態では、受信禁止部（制御部３１）が、各センサ機器に内蔵されている。
【００３１】
通信Ｉ／Ｆ部３４は、各センサ機器と各無線親機との間での通信（詳しくは、無線通信網Ｌ３による通信）を可能にする。また、ユーザＩ／Ｆ部３６には、図示しない入力装置（キーボード等）を接続することができる。これにより、ユーザは、その入力装置を通じて、接続機器（例えば無線親機２０）への登録依頼などを行うことが可能になる。
【００３２】
本実施形態では、センサ部３５が、対象空間に設置され、周囲の環境データ（温度、湿度、又は照度など）を測定する。すなわち、センサ部３５により、対象空間の現在（測定時）の環境に関する値を測定することができる。具体的には、センサ部３５は、例えば温湿度センサモジュールから構成され、例えば空気調和機（設備機器４０）により空調を行う室内の現在の温度及び湿度を測定する。センサ部３５は、制御部３１の指示に従って、測定データを取得する。設備機器４０は、センサ部３５で測定されている環境（例えば空調を行う室内空間の環境）を変化させるように又は維持するように、制御される。
【００３３】
制御部３１は、センサ部３５で測定した測定データ（例えば温度データ及び湿度データ）を、通信Ｉ／Ｆ部３４を介して、当該センサ機器に対応する無線親機へ送信する。また、本実施形態では、制御部３１が、所定のタイミングで、又は外部（ユーザ又は他の装置等）からの要求に応じて、センサ部３５により測定データを取得し、その測定データを送信する。詳しくは、制御部３１が、当該センサ機器がウェイクアップした直後に、当該センサ機器（センサ部３５）による測定データを取得し、その測定データを間接的に（無線親機を経由して）統合コントローラ１０へ送信する。本実施形態では、測定データ送信部（制御部３１及び通信Ｉ／Ｆ部３４）が、各センサ機器に内蔵されている。
【００３４】
設備機器４０の各々は、例えば空気調和機であって、図５に示されるように、制御部４１と、記憶部４２と、設備機器メイン制御部４３と、通信Ｉ／Ｆ部４４と、内部通信Ｉ／Ｆ部４５と、運転状態検出部４６と、から構成される。各設備機器４０は、内部で、制御部４１、記憶部４２、通信Ｉ／Ｆ部４４、内部通信Ｉ／Ｆ部４５、及び運転状態検出部４６から構成される通信部と、設備機器メイン制御部４３から構成される設備機器制御部と、に分かれている。内部通信Ｉ／Ｆ部４５は、これら通信部と設備機器制御部との間での通信（内部での通信）を可能にする。通信Ｉ／Ｆ部４４には、通信線Ｌ４が接続される。
【００３５】
設備機器４０の各々は物理的には、図示しないが、例えばＭＰＵ、ＲＡＭ、ＲＯＭ、トランシーバ回路、及び電源回路などから構成される。
【００３６】
設備機器メイン制御部４３は、当該設備機器４０の駆動部を制御する。本実施形態では、設備機器制御部（設備機器メイン制御部４３）が、各設備機器４０に内蔵されている。各設備機器４０が空気調和機である場合には、設備機器メイン制御部４３は、空調運転に係る制御を行う。
【００３７】
運転状態検出部４６は、自身を備える設備機器４０の運転状態を検出する。運転状態検出部４６は、例えば制御部４１に対する指令（制御部４１に次の運転状態を指示するもの）に基づいて設備機器４０の運転状態を検出するものであってもよいし、設備機器４０に運転状態（設備機器の温度、消費電力量、モータの回転数、又は排気量等）を検出するためのセンサを取り付けてそのセンサの出力に基づいて設備機器４０の運転状態を検出するものであってもよい。運転状態検出部４６は、要求があったときにその時の設備機器４０の運転状態を検出してもよいし、所定の周期で、その時々の設備機器４０の運転状態を記憶部４２に格納してもよい。本実施形態では、運転状態検出部４６が、各設備機器４０に内蔵されている。
【００３８】
制御部４１は、通信Ｉ／Ｆ部４４を介して、運転状態検出部４６で検出した運転状態を直接的に統合コントローラ１０へ送信する。本実施形態では、運転状態送信部（制御部４１及び通信Ｉ／Ｆ部４４）が、各設備機器４０に内蔵されている。
【００３９】
より詳しくは、制御部４１は、運転状態検出部４６により検出された運転状態に基づいて、設備機器４０の運転状態が変化したか否かを判断し、それにより運転状態が変化したと判断された場合には、その変化後の運転状態を統合コントローラ１０へ送信する。本実施形態では、状態変化判断部（制御部４１）が、各設備機器４０に内蔵されている。
【００４０】
制御部１１、２１、３１、４１及び設備機器メイン制御部４３はそれぞれ、例えばＭＰＵ及びメモリ（いずれも図示せず）から構成される。詳しくは、ＭＰＵがメモリに格納されたプログラムを実行することにより、各制御部の機能が実現される。プログラムは、ＲＯＭ又は書き換え可能な不揮発性メモリなど、コンピュータで読み取り可能な記録媒体に記憶させて用いることができる。プログラムは、記憶部１２、２２、３２、４２に記憶させてもよい。
【００４１】
記憶部１２、２２、３２、４２はそれぞれ、例えば書き換え可能な不揮発性メモリから構成される。
【００４２】
時間管理部１３、２３、３３は、一乃至複数のタイマを備える。本実施形態では、時間管理部１３、２３、３３のタイマがそれぞれ、ハードウェアタイマからなる。ただしこれに限られず、ソフトウェアでタイマ機能を実現してもよい。各タイマは、計測開始から予め設定された時間が経過したとき（計測終了時）に、その旨を知らせる。タイマは、計測が終了したときに、自動的にリセット（初期化）されて再び計測を開始するものであってもよいし、計測が終了するごとに停止して、計測開始の指示があるまで動かないものであってもよい。本実施形態では、ユーザが、任意のタイミングで各タイマをリセットすることができる。また、制御部１１、２１、３１からの指示によっても各タイマはリセットされる。時間管理部１３、２３、３３の各タイマの設定時間は、例えばユーザ又は制御部１１、２１、３１により、個別に設定又は変更される。時間管理部１３、２３、３３の各タイマには、互いに異なる時間を設定することができる。ただしこれに限られず、各設定時間は、常に一定（変更禁止）にしてもよい。
【００４３】
ユーザＩ／Ｆ部１６、２６、３６に接続される入力装置は、例えばマウス、キーボード、又はタッチパネルから構成される。タッチパネル（又はタッチスクリーン）では、表示装置と入力装置とが一体化している。ユーザＩ／Ｆ部１６、２６、３６の少なくとも１つは、複数種の入力装置（マウス及びタッチパネル等）を接続するための機能を有していてもよい。
【００４４】
ユーザＩ／Ｆ部１６、２６、３６の少なくとも１つは、表示装置を接続するための機能を有していてもよい。こうした機能によれば、表示装置を通じて、ユーザが設定内容を確認することが可能になる。表示装置としては、ブラウン管（ＣＲＴ）、液晶ディスプレイ、プラズマディスプレイ、有機ＥＬディスプレイなどを用いることができる。
【００４５】
次に、主に図６〜図１０を参照して、計測システム１００による計測方法の一例について説明する。なお、本実施形態では、図６〜図１０の処理に先立って、ユーザが、無線親機２０とセンサ機器３０と設備機器４０との対応付けをしておく。こうした対応付けは、例えばユーザＩ／Ｆ部１６、２６、３６を介して行うことができる。本実施形態では、無線親機２０＿１とセンサ機器３０＿１と設備機器４０＿１とを対応付けて、無線親機２０＿２とセンサ機器３０＿２と設備機器４０＿２とを対応付けて、…というように、同じ番号のもの同士を対応付けする。これらの対応関係を示すデータは、例えば記憶部２２、３２、４２（又は記憶部１２）に保存される。ＩＤ（識別子）などを記憶部２２、３２、４２に記憶させておくことで、各無線親機、各センサ機器、各設備機器を識別可能にすることができる。
【００４６】
図６は、統合コントローラ１０による処理、詳しくは設備機器の制御に係る処理を示すフローチャートである。図６に示す一連の処理は、統合コントローラ１０により、所定の周期（必要な処理精度を得るために十分に短い周期）で繰り返し実行される。
【００４７】
図６のステップＳ１１では、制御部１１（図２）が、図１に示される設備機器４０から状態情報通知を受信したか否かを判断する。なお、状態情報通知は、設備機器４０の状態情報を含むデータである。本実施形態では、状態情報通知に、設備機器４０が運転中か否かを示す情報が含まれる。
【００４８】
ステップＳ１１で状態情報通知を受信したと判断された場合（ステップＳ１１；ＹＥＳ）には、続くステップＳ１２で、制御部１１が、対象となるセンサ機器３０を選択し、受信した状態情報通知に基づいて、そのセンサ機器３０のスリープ時間を決定する。本実施形態では、状態情報通知を送信した設備機器（以下、対象設備機器という）４０に対して予め対応付けされたセンサ機器（以下、対象センサ機器という）３０が、選択される。
【００４９】
制御部１１は、設備機器４０の運転状態に応じて、適切なスリープ時間を決定する。具体的には、例えば対象設備機器４０がＯＦＦ（停止状態）になったという状態情報（後述の図１０のステップＳ５３及びＳ５４参照）を受信した場合には、スリープ時間として長い時間（第１のスリープ時間）を設定し、対象設備機器４０がＯＮ（作動状態）になったという状態情報（後述の図１０のステップＳ５１及びＳ５２参照）を受信した場合には、スリープ時間として短い時間（第２のスリープ時間）を設定する。スリープ時間は、所定の計算式又はマップによりスリープ時間を算出してもよいし、予め用意した複数のスリープ時間（選択肢）から選択するようにしてもよい。
【００５０】
さらに、ステップＳ１２では、制御部１１が、選択された対象センサ機器３０に対応付けられた無線親機（以下、対象無線親機という）２０に対して、スリープ時間情報通知を送信する。その後、ステップＳ１３に進む。なお、スリープ時間情報通知は、上記決定したスリープ時間（第１のスリープ時間又は第２のスリープ時間）を含むデータである。
【００５１】
他方、ステップＳ１１で状態情報通知を受信していないと判断された場合（ステップＳ１１；ＮＯ）には、ステップＳ１２の処理を行わずに、ステップＳ１３に進む。
【００５２】
図６のステップＳ１３では、制御部１１が、時間管理部１３の第１タイマに設定された時間（以下、第１設定時間という）が経過したか否かを判断する。そして、ステップＳ１３で第１設定時間が経過していないと判断された場合（ステップＳ１３；ＮＯ）には、図６の処理を終了する。
【００５３】
他方、ステップＳ１３で第１設定時間が経過したと判断された場合（ステップＳ１３；ＹＥＳ）には、続くステップＳ１４で、制御部１１が、対象無線親機２０へ測定データ要求を送信し、ステップＳ１５に進む。制御部１１は、この測定データ要求の送信に際して、ステップＳ１６で使用する時間管理部１３の第２タイマをリセットする。なお、ステップＳ１２においてスリープ時間情報通知の送信先となる無線親機２０と、ステップＳ１４において測定データ要求の送信先となる無線親機２０とは、互いに異なるものであってもよい。例えばスリープ時間情報通知の送信先となる無線親機２０は、設備機器４０からの状態情報によって決定し、測定データ要求の送信先となる無線親機２０は、全ての無線親機２０の中から順次選択してもよい。
【００５４】
図６のステップＳ１５では、制御部１１が、測定データ要求を送信した対象無線親機２０から測定データ応答を受信したか否かを判断する。
【００５５】
ステップＳ１５で測定データ応答を受信していないと判断された場合（ステップＳ１５；ＮＯ）には、続くステップＳ１６で、制御部１１が、時間管理部１３の第２タイマに設定された時間（以下、第２設定時間という）が経過したか否か、すなわちタイムアウトになったか否かを判断する。ステップＳ１６で第２設定時間が経過していないと判断されている間（ステップＳ１６；ＮＯ）、すなわちステップＳ１６でタイムアウトになった（第２設定時間が経過した）と判断されるまでは、ステップＳ１５の処理を一定の間隔（第２設定時間）で繰り返し実行する。そして、ステップＳ１６でタイムアウトになったと判断された場合（ステップＳ１６；ＹＥＳ）には、図６の処理を終了する。なお、タイムアウトまでの時間（第２設定時間）が経過したか否かの計測は、対象無線親機２０に測定データ要求を送信した時点から開始される。
【００５６】
他方、ステップＳ１５で測定データ応答を受信したと判断された場合（ステップＳ１５；ＹＥＳ）には、続くステップＳ１７で、制御部１１が、対象無線親機２０から受信した測定データ応答に含まれる測定データを記憶部１２に格納（保存）する。そして、続くステップＳ１８では、制御情報作成部１７が、記憶部１２に格納された測定データに基づいて設備機器４０の制御情報を作成し、制御部１１が、その設備機器の制御情報を含む制御情報通知を対象設備機器４０へ送信する。例えば、あるセンサ機器３０の測定した温度（測定データ）が所定の判定値以上である場合、制御情報作成部１７は、予めそのセンサ機器３０と対応付けされた設備機器（対象設備機器）４０の出力を大きくするような制御情報を作成する。ステップＳ１８の処理をもって、図６の処理が終了する。
【００５７】
なお、各設備機器４０では、設備機器メイン制御部４３（図５）が、記憶部４２（図５）に記憶されている制御情報に基づいて設備機器４０の制御を行っている。記憶部４２中の制御情報が更新されると、設備機器メイン制御部４３は、その更新された制御情報に基づいて設備機器４０の制御を行うようになる。対象設備機器４０は、統合コントローラ１０から送られてきた制御情報通知（図６のステップＳ１８参照）を受信すると、その制御情報通知に含まれる制御情報によって、記憶部４２中の制御情報を更新する。すなわち、対象設備機器４０は、統合コントローラ１０から制御情報通知を受信すると、その通知に含まれる制御情報に基づいて動作するようになる。
【００５８】
図７は、無線親機２０による処理、詳しくはセンサ機器３０に対するスリープ時間設定要求に係る処理を示すフローチャートである。なお、図７に示す一連の処理は、無線親機２０を構成する各無線親機にて、所定の周期（必要な処理精度を得るために十分に短い周期）で繰り返し実行される。初期設定では、スリープ時間情報受信フラグがＯＦＦになっているものとする。
【００５９】
図７のステップＳ２１では、制御部２１（図３）が、統合コントローラ１０からスリープ時間情報通知（図６のステップＳ１２参照）を受信したか否かを判断する。そして、ステップＳ２１でスリープ時間情報通知を受信したと判断された場合（ステップＳ２１；ＹＥＳ）には、続くステップＳ２２で、制御部２１が、スリープ時間情報受信フラグをＯＮにして、ステップＳ２３に進む。他方、ステップＳ２１でスリープ時間情報通知を受信していないと判断された場合（ステップＳ２１；ＮＯ）には、ステップＳ２２の処理を行わずに、ステップＳ２３に進む。
【００６０】
図７のステップＳ２３では、制御部２１が、統合コントローラ１０から測定データ要求（図６のステップＳ１４参照）を受信したか否かを判断する。そして、ステップＳ２３で測定データ要求を受信したと判断された場合（ステップＳ２３；ＹＥＳ）には、続くステップＳ２４で、制御部２１が、記憶部２２（図３）に記憶されている測定データ（後述のステップＳ２６参照）を含む測定データ応答を統合コントローラ１０へ送信して、ステップＳ２５に進む。他方、ステップＳ２３で測定データ要求を受信していないと判断された場合（ステップＳ２３；ＮＯ）には、ステップＳ２４の処理を行わずに、ステップＳ２５に進む。
【００６１】
図７のステップＳ２５では、制御部２１が、対象センサ機器３０から測定データ通知を受信したか否かを判断する。なお、本実施形態における対象センサ機器３０は、状態情報通知（図６のステップＳ１１参照）の送信元となる設備機器４０と予め対応付けされたセンサ機器３０である。
【００６２】
ステップＳ２５で測定データ通知を受信したと判断された場合（ステップＳ２５；ＹＥＳ）には、続くステップＳ２６で、制御部２１が、受信した測定データ通知に含まれる対象センサ機器の測定データを記憶部２２に格納（保存）して、ステップＳ２７に進む。他方、ステップＳ２５で測定データ通知を受信していないと判断された場合（ステップＳ２５；ＮＯ）には、図７の処理を終了する。
【００６３】
図７のステップＳ２７では、制御部２１が、スリープ時間情報受信フラグがＯＮになっているか否かを判断する。そして、ステップＳ２７でスリープ時間情報受信フラグがＯＮになっていないと判断された場合（ステップＳ２７；ＮＯ）には、図７の処理を終了する。他方、ステップＳ２７でスリープ時間情報受信フラグがＯＮになっていると判断された場合（ステップＳ２７；ＹＥＳ）には、続くステップＳ２８で、制御部２１が、対象センサ機器へスリープ時間設定要求を送信し、さらにステップＳ２９で、制御部２１が、スリープ時間情報受信フラグをＯＦＦする。本実施形態では、無線親機２０中の対象無線親機（図６のステップＳ１２参照）が、対象センサ機器へスリープ時間設定要求を送信する。ステップＳ２９の処理をもって、図７の処理が終了する。
【００６４】
図８は、センサ機器による処理、詳しくはスリープ制御に係る処理を示すフローチャートである。図８に示す一連の処理は、センサ機器３０を構成する各センサ機器にて、所定の周期（必要な処理精度を得るために十分に短い周期）で繰り返し実行される。なお、未だスリープ時間設定要求（図７のステップＳ２８及び図８のステップＳ３２参照）を受信していない状態では、記憶部３２（図４）に記憶されているスリープ時間には、所定の初期値が設定される。
【００６５】
図８のステップＳ３１では、制御部３１が、時間管理部３３の第３タイマに設定された時間（以下、第３設定時間という）が経過したか否かを判断する。ステップＳ３１で第３設定時間が経過していないと判断されている間（ステップＳ３１；ＮＯ）は、ステップＳ３２及びＳ３３の処理を一定の間隔（第３設定時間）で繰り返し実行する。
【００６６】
図８のステップＳ３２では、制御部３１が、対象無線親機（図６のステップＳ１２参照）からスリープ時間設定要求（図７のステップＳ２８参照）を受信したか否かを判断する。そして、ステップＳ３２でスリープ時間設定要求を受信したと判断された場合（ステップＳ３２；ＹＥＳ）には、続くステップＳ３３で、制御部３１が、対象無線親機からの要求（スリープ時間設定要求）に基づいて、記憶部３２に記憶されているスリープ時間を更新して、ステップＳ３１に戻る。他方、ステップＳ３２でスリープ時間設定要求を受信していないと判断された場合（ステップＳ３２；ＮＯ）には、ステップＳ３３の処理を行わずに、ステップＳ３１に戻る。本実施形態においては、各センサ機器が、対応する無線親機（対象無線親機）からの要求に基づいてスリープ時間を更新する。
【００６７】
ステップＳ３１で第３設定時間が経過したと判断された場合（ステップＳ３１；ＹＥＳ）には、続くステップＳ３４で、制御部３１が、自身を備えるセンサ機器３０を受信禁止にして、さらに続くステップＳ３５で、そのセンサ機器３０のスリープ実行及び復帰に係る処理、具体的には図９に示す一連の処理を実行する。
【００６８】
図９のステップＳ４１では、制御部３１（図３）が、当該センサ機器のスリープを実行する。具体的には、センサ機器をスリープ状態にする。なお、スリープ状態は、スリープモード、スタンドバイモード、待機モード、省電力モードなど、名称は何でもよく、通常の動作状態よりも、消費電力が少ない状態で動作している状態をいう。省電力とする手法は、ＣＰＵ自体が止まるようにしてもよいし、ＣＰＵは動いていて、周辺回路が止まるようにしてもよいし、ＣＰＵの動作クロックを下げてもよい。本実施形態では、受信禁止処理（図８のステップＳ３４）とスリープの実行（図９のステップＳ４１）とが略同時に行われる。
【００６９】
続けて、図９のステップＳ４２では、制御部３１が、スリープ実行開始（ステップＳ４１）から、設定されたスリープ時間（図８のステップＳ３３参照）が経過したか否かを判断する。そして、ステップＳ４２でスリープ時間が経過していないと判断されている間（ステップＳ４２；ＮＯ）は、ステップＳ４２の処理を所定の間隔で繰り返し実行する。
【００７０】
他方、ステップＳ４２でスリープ時間が経過したと判断された場合（ステップＳ４２；ＹＥＳ）には、続くステップＳ４３で、制御部３１が、当該センサ機器をウェイクアップ（スリープ解除）させる。
【００７１】
続けて、ステップＳ４４では、制御部３１が、センサ部３５により測定したデータ（例えば温度及び湿度）を記憶部３２に格納（保存）する。
【００７２】
続けて、ステップＳ４５では、制御部３１が、ステップＳ４４で記憶部３２に格納された測定データを含む測定データ通知を、対象無線親機（図６のステップＳ１２参照）へ送信する。なお、本実施形態における対象無線親機２０は、センサ機器３０と予め対応付けされた無線親機２０である。
【００７３】
続けて、ステップＳ４６では、制御部３１が、センサ機器３０を受信許可にする。これにより、図９の処理（図８のステップＳ３５）が終了し、ステップＳ３５の終了をもって、図８の一連の処理が終了する。
【００７４】
図１０は、設備機器による処理、詳しくは状態情報の送信に係る処理を示すフローチャートである。なお、図１０に示す一連の処理は、設備機器４０の各々にて、所定の周期（必要な処理精度を得るために十分に短い周期）で繰り返し実行される。なお、初期状態では、設備機器が運転停止になっているものとする。
【００７５】
図１０のステップＳ５１では、制御部４１（図５）が、運転状態検出部４６（図５）により検出された設備機器４０の運転状態に基づいて、設備機器４０の運転が開始したか否かを判断する。そして、ステップＳ５１で設備機器４０の運転が開始していないと判断された場合（ステップＳ５１；ＮＯ）には、図１０の処理を終了する。
【００７６】
他方、ステップＳ５１で設備機器４０の運転が開始したと判断された場合（ステップＳ５１；ＹＥＳ）には、続くステップＳ５２で、制御部４１が、設備機器４０の運転が開始した旨の状態情報を含む状態情報通知を統合コントローラ１０へ送信し、ステップＳ５３に進む。
【００７７】
図１０のステップＳ５３では、制御部４１が、運転状態検出部４６により検出された設備機器４０の運転状態に基づいて、設備機器４０の運転が停止したか否かを判断する。そして、ステップＳ５３で設備機器４０の運転が停止していないと判断されている間（ステップＳ５３；ＮＯ）は、ステップＳ５３の処理を所定の間隔で繰り返し実行する。他方、ステップＳ５３で設備機器４０の運転が停止したと判断された場合（ステップＳ５３；ＹＥＳ）には、続くステップＳ５４で、制御部４１が、設備機器４０の運転が停止した旨の状態情報を含む状態情報通知を統合コントローラ１０へ送信する。ステップＳ５４の処理をもって、図１０の処理が終了する。
【００７８】
図１１は、本実施形態に係る計測システム１００（図１）の通信シーケンスを示す図である。この通信シーケンスの開始時点においては、対象設備機器４０がすでに運転を開始しているものとし、対象センサ機器３０のスリープ時間としては時間Ｔ２が設定されているものとする。なお、時間Ｔ２は、図６のステップＳ１２において対象設備機器４０の状態情報（運転開始）を基に決定され、図８のステップＳ３３においてスリープ時間として設定されたものとする。
【００７９】
図１１の通信シーケンスにおいては、対象センサ機器３０が、スリープ状態からウェイクアップする都度、測定データを取得して（図９のステップＳ４４参照）、その測定データを含む測定データ通知（データＤ１１〜Ｄ１４）を対象無線親機２０へ送信する（図９のステップＳ４５参照）。
【００８０】
以下、設備機器４０が運転している状態にあるときの、その設備機器４０の運転状態に応じたスリープ時間に基づくセンサ機器３０のスリープ制御について説明する。
【００８１】
対象センサ機器３０は、測定データ通知（データＤ１１）を送信すると、時間Ｔ１（＝図８のステップＳ３１で用いる第３設定時間）だけ受信許可状態になる（図９のステップＳ４６及び図８のステップＳ３１、Ｓ３４参照）。そして、受信許可状態の時間Ｔ１が経過すると、時間Ｔ２（設定されているスリープ時間）だけスリープ状態にする（図９のステップＳ４１〜Ｓ４３参照）。
【００８２】
次に、センサ機器３０の測定データに基づく設備機器４０の制御について説明する。
【００８３】
統合コントローラ１０は、時間Ｔ４（＝図６のステップＳ１３で用いる第１設定時間）経過ごとに測定データ要求（データＤ３１〜Ｄ３４）を対象無線親機２０へ送信する（図６のステップＳ１４参照）。
【００８４】
対象無線親機２０は、統合コントローラ１０から測定データ要求（データＤ３１〜Ｄ３４）を受信すると、統合コントローラ１０へ測定データ応答（データＤ４１〜Ｄ４４）を送信する（図７のステップＳ２４参照）。なお、測定データ応答には、対象センサ機器３０から受信した測定データが含まれる（図７のステップＳ２５及びＳ２６参照）。
【００８５】
統合コントローラ１０は、対象無線親機２０から測定データ応答（データＤ４１〜Ｄ４４）を受信すると、その測定データ応答に含まれる測定データに基づいて設備機器４０の制御情報を作成し、設備機器４０の制御情報を含む制御情報通知（データＤ６１〜Ｄ６４）を対象設備機器４０へ送信する（図６のステップＳ１８参照）。
【００８６】
対象設備機器４０は、統合コントローラ１０から制御情報通知（データＤ６１〜Ｄ６４）を受信すると、その通知に含まれる制御情報に基づいて動作するようになる。
【００８７】
次に、設備機器４０が停止したときの、その設備機器４０の運転状態に応じたスリープ時間に基づくセンサ機器のスリープ制御について説明する。
【００８８】
対象設備機器４０は、運転が停止すると、運転停止の情報を含む状態情報通知（データＤ７１）を統合コントローラ１０へ送信する（図１０のステップＳ５４参照）。
【００８９】
統合コントローラ１０は、対象設備機器４０から状態情報通知（データＤ７１）を受信すると、対象設備機器４０の状態情報（運転停止）を基に決定された時間Ｔ３（スリープ時間）を含むスリープ時間情報通知（データＤ５１）を対象無線親機２０に送信する（図６のステップＳ１２参照）。本実施形態では、時間Ｔ３を時間Ｔ２よりも長くする。
【００９０】
対象無線親機２０は、統合コントローラ１０からスリープ時間情報通知（データＤ５１）を受信すると、スリープ時間を時間Ｔ３に設定する要求を含むスリープ時間設定要求（データＤ２１）を対象センサ機器３０へ送信する（図７のステップＳ２８参照）。このスリープ時間設定要求（データＤ２１）の送信は、ウェイクアップした対象センサ機器３０から測定データ通知（データＤ１２）を受信した直後（時間Ｔ１経過前）に行われるため、その時、対象センサ機器３０は受信許可状態になっている（図９のステップＳ４３〜Ｓ４５及び図７のステップＳ２５〜Ｓ２８参照）。
【００９１】
対象センサ機器３０は、対象無線親機２０からスリープ時間設定要求（データＤ２１）を受信すると、スリープ時間設定要求（データＤ２１）に基づいてスリープ時間を設定して（図８のステップＳ３３参照）、そのスリープ時間に従ってスリープ状態になる（図９のステップＳ４１〜Ｓ４３参照）。すなわち、本実施形態では、対象設備機器が運転停止しているときには、対象センサ機器が、対象設備機器が運転しているときの時間Ｔ２よりも長い時間Ｔ３だけスリープ状態になることになる。また、この図１１の通信シーケンスでは、さらにその後、対象設備機器が再び運転を開始する前に、対象センサ機器がウェイクアップして（図９のステップＳ４３参照）、ウェイクアップした直後に測定データを取得して（図９のステップＳ４４参照）、その測定データを含む測定データ通知（データＤ１３）を対象無線親機２０へ送信する（図９のステップＳ４５参照）。そして、受信許可状態の時間Ｔ１だけ経過した後、再び対象センサ機器３０が時間Ｔ３だけスリープ状態になる（図９のステップＳ４１〜Ｓ４３参照）。
【００９２】
次に、設備機器４０が再び運転を開始したときの、その設備機器４０の運転状態に応じたスリープ時間に基づくセンサ機器３０のスリープ制御について説明する。
【００９３】
対象設備機器４０は、運転を開始すると、運転開始の情報を含む状態情報通知（データＤ７２）を統合コントローラ１０へ送信する（図１０のステップＳ５２参照）。
【００９４】
統合コントローラ１０は、対象設備機器４０から状態情報通知（データＤ７２）を受信すると、対象設備機器４０の状態情報（運転開始）を基に決定された時間Ｔ２（スリープ時間）を含むスリープ時間情報通知（データＤ５２）を対象無線親機２０に送信する（図６のステップＳ１２参照）。
【００９５】
対象無線親機２０は、統合コントローラ１０からスリープ時間情報通知（データＤ５２）を受信すると、スリープ時間を時間Ｔ２に設定する要求を含むスリープ時間設定要求（データＤ２２）を対象センサ機器３０へ送信する（図７のステップＳ２８参照）。このスリープ時間設定要求（データＤ２２）の送信は、ウェイクアップした対象センサ機器３０から測定データ通知（データＤ１４）を受信した直後（時間Ｔ１経過前）に行われるため、その時、対象センサ機器３０が受信許可状態になっている（図９のステップＳ４３〜Ｓ４５及び図７のステップＳ２５〜Ｓ２８参照）。
【００９６】
対象センサ機器３０は、対象無線親機２０からスリープ時間設定要求（データＤ２２）を受信すると、スリープ時間設定要求（データＤ２２）に基づいてスリープ時間を設定して（図８のステップＳ３３参照）、そのスリープ時間に従ってスリープ状態になる（図９のステップＳ４１〜Ｓ４３参照）。すなわち、本実施形態では、対象設備機器４０が運転しているときには、対象センサ機器３０が、対象設備機器４０が運転停止しているときの時間Ｔ３よりも短い時間Ｔ２だけスリープ状態になることになる。
【００９７】
以上説明したように、本実施形態の計測システム１００は、対象空間（例えばビルの室内空間）の現在の環境に関する値（例えば温度及び湿度）を測定するセンサ機器３０と、センサ機器３０により測定された環境に関する値（例えば温度及び湿度）に基づいて設備機器４０を制御する統合コントローラ１０と、を備える。設備機器４０は、設備機器４０の運転状態を検出する運転状態検出部４６を有し、統合コントローラ１０は、その運転状態に基づいてセンサ機器３０のスリープ時間を決定する制御部１１（スリープ時間決定部）を有する。そして、各センサ機器３０は、その決定されたスリープ時間だけそのセンサ機器３０をスリープ状態にする制御部３１（スリープ制御部）を有する。
【００９８】
また、本実施形態の統合コントローラ１０は、設備機器４０の運転状態を受信する制御部１１及び通信Ｉ／Ｆ部１４（運転状態受信部）と、センサ機器３０の測定データを受信する制御部１１及び通信Ｉ／Ｆ部１５（測定データ受信部）と、設備機器４０の運転状態に基づいてセンサ機器３０のスリープ時間を決定する制御部１１（スリープ時間決定部）と、そのスリープ時間を送信する制御部１１及び通信Ｉ／Ｆ部１５（スリープ時間送信部）と、センサ機器３０の測定データに基づいて設備機器４０の制御情報を作成する制御情報作成部１７と、制御情報作成部１７により作成された制御情報を送信する制御部１１及び通信Ｉ／Ｆ部１４（制御情報送信部）と、を備える。
【００９９】
計測システム１００及び統合コントローラ１０によれば、設備機器４０の運転停止中、センサ機器３０のスリープ時間を長くすることで、設備機器４０の運転状態に応じて、より適切にセンサ機器３０の電池の消耗を抑えることができる。例えば夜間などの空調設備が運転されていない時間は、室内の温度及び湿度の測定を停止し、温度及び湿度を測定するセンサ機器３０の電池を長寿命化することが可能になる。また、電池の消耗を抑えることができれば、センサ機器３０の電池交換周期を長くすることが可能になる。また、無駄なエネルギーの消費を抑制することが可能になる。
【０１００】
本実施形態の計測システム１００において、各センサ機器３０は、スリープ中は、そのセンサ機器３０における受信処理を禁止する制御部３１（受信禁止部）を有する。そして、計測システム１００は、そのセンサ機器３０がスリープ状態からウェイクアップした直後に、制御部１１（スリープ時間決定部）により決定されたスリープ時間をそのセンサ機器３０へ送信する制御部２１（スリープ時間送信部）を備える。ウェイクアップした直後であれば、通常、センサ機器３０はスリープしていない（受信許可状態にある）ため、上記構成によれば、スリープ時間の受け渡しを確実に行うことが可能になる。
【０１０１】
本実施形態の計測システム１００では、制御部３１（スリープ制御部）が、所定の間隔で、繰り返しスリープを実行する。これにより、原則として、定期的にスリープが実行されるようになり、より確実に消費エネルギーが削減され、ひいてはセンサ機器の電池の消耗を抑制することが可能になる。
【０１０２】
本実施形態の計測システム１００は、設備機器メイン制御部４３及び運転状態検出部４６を有する設備機器４０と、制御部１１（スリープ時間決定部）を有する統合コントローラ１０と、を備える。そして、各センサ機器３０は、制御部３１（スリープ制御部）と、対象空間に係る測定データ（例えば温度データ及び湿度データ）を送信する制御部３１及び通信Ｉ／Ｆ部３４（測定データ送信部）と、を有する。また、各設備機器４０は、運転状態検出部４６により検出された運転状態を送信する制御部４１及び通信Ｉ／Ｆ部４４（運転状態送信部）を有する。また、統合コントローラ１０は、各センサ機器３０から送られてきた測定データ（例えば温度データ及び湿度データ）に基づいて設備機器４０の制御情報を作成する制御情報作成部１７と、制御情報作成部１７により作成された制御情報を送信する制御部１１及び通信Ｉ／Ｆ部１４（制御情報送信部）を有する。こうしたシステム構成にすることで、上述のシステムを好適に実現することができる。なお、各送信部は、要求に応じて、任意に送信先を設定することができる。
【０１０３】
本実施形態の計測システム１００では、制御部３１及び通信Ｉ／Ｆ部３４（測定データ送信部）が、当該センサ機器がスリープ状態からウェイクアップした直後に、当該センサ機器による測定データを取得し、その測定データを送信する。ウェイクアップした直後であれば、通常、センサ機器３０はスリープしていない（送信可能な状態にある）ため、上記構成によれば、測定データの受け渡しを確実に行うことが可能になる。
【０１０４】
本実施形態の計測システム１００は、運転状態検出部４６により検出された運転状態に基づいて、設備機器の運転状態が変化（例えば運転開始又は運転停止）したか否かを判断する状態変化判断部（制御部４１）と、この状態変化判断部により設備機器４０の運転状態が変化したと判断された場合に、その変化後の運転状態を制御部１１（スリープ時間決定部）へ送信する運転状態送信部（制御部４１）と、を備える。こうした構成によれば、適切なタイミングで（例えば運転状態が変化した直後に）設備機器の運転状態を制御部１１（スリープ時間決定部）へ送信することが可能になる。
【０１０５】
本実施形態の計測システム１００では、制御部１１（スリープ時間決定部）が、設備機器４０の消費エネルギーが大きいほど、センサ機器３０のスリープ時間を短くする。設備機器４０の消費エネルギーが大きいほど、設備機器４０がセンサ機器３０の測定データを必要とする可能性が高いため、センサ機器３０のスリープ時間を短くする。これにより、設備機器４０の制御と電池の長寿命化（又は省エネルギー）との両立を図ることが可能になる。
【０１０６】
詳しくは、制御部１１（スリープ時間決定部）は、設備機器４０が運転停止している場合（消費エネルギーが小さい場合）は、センサ機器３０のスリープ時間を第１の時間とし、設備機器４０が運転している場合（消費エネルギーが大きい場合）は、センサ機器３０のスリープ時間を、第１の時間よりも短い第２の時間とする（図６のステップＳ１２参照）。こうした構成によれば、設備機器４０の運転状態に応じて適切なスリープ時間を設定することが可能になり、より適切にセンサ機器３０の電池の消耗を抑えることが可能になる。
【０１０７】
（実施形態２）
本発明の実施形態２について、上記実施形態１との相違点を中心に説明する。なおここでは、上記図１等に示した要素と同一の要素には各々同一の符号を付し、既に説明した共通の部分、すなわち説明が重複する部分については、その説明を省略又は簡略化する。
【０１０８】
本実施形態に係る計測システムも、基本的には、実施形態１に係る計測システム１００と同様の構成（図１〜図５参照）を有し、図６〜図９の処理を実行する。ただし、本実施形態に係る計測システムでは、設備機器４０の各々が、図１０の処理に代えて、図１２の処理を実行する。
【０１０９】
図１２のステップＳ６１では、制御部４１（図５）が、運転状態検出部４６（図５）により検出された設備機器４０の運転状態に基づいて、その設備機器４０の運転状態が変化したか否かを判断する。例えば設備機器４０が空気調和機である場合における運転状態の変化としては、現在の温度と設定温度との差が大きい状態での冷却の開始などが挙げられる。また、その運転状態から、設備機器４０が一定の温度を保つ運転に変わった場合も、運転状態の変化ととらえる。運転状態の変化は、ユーザが任意に設定できる。運転状態の変化は、運転のＯＮ（運転中）／ＯＦＦ（運転停止）の変化、運転負荷の変化（空調における加熱／温度維持／冷却など）、制御の目標値（空調における設定温度、設定湿度など）、運転モード（通常運転モード／省エネルギーモードなど）の変更などであってもよい。
【０１１０】
ステップＳ６１で設備機器４０の運転状態が変化したと判断された場合（ステップＳ６１；ＹＥＳ）には、続くステップＳ６２で、制御部４１が、設備機器４０の運転が変化した旨及びその変化後の運転状態を含む状態情報通知を統合コントローラ１０へ送信する。ステップＳ６２の処理をもって、図１２の処理が終了する。
【０１１１】
他方、ステップＳ６１で設備機器４０の運転状態が変化していないと判断された場合（ステップＳ６１；ＮＯ）には、ステップＳ６２の処理を行わずに、図１２の処理を終了する。
【０１１２】
図１３は、本実施形態に係る計測システムの通信シーケンスを示す図である。この通信シーケンスの開始時点においては、対象設備機器４０がすでに運転を開始しているものとし、対象センサ機器３０のスリープ時間としては時間Ｔ１１が設定されているものとする。なお、時間Ｔ１１は、図６のステップＳ１２において対象設備機器４０の状態情報（第１の運転状態）を基に決定され、図８のステップＳ３３においてスリープ時間として設定されたものとする。
【０１１３】
図１３の通信シーケンスにおいては、対象センサ機器３０が、スリープ状態からウェイクアップする都度、測定データを取得して（図９のステップＳ４４参照）、その測定データを含む測定データ通知（データＤ１１〜Ｄ１４）を対象無線親機２０へ送信する（図９のステップＳ４５参照）。
【０１１４】
以下、設備機器４０が第１の運転状態にあるときの、その設備機器４０の運転状態に応じたスリープ時間に基づくセンサ機器３０のスリープ制御について説明する。本実施形態では、対象設備機器（例えば空気調和機）４０が現在の温度と設定温度との差が大きい状態で冷却を行っている運転状態を、第１の運転状態とする。
【０１１５】
対象センサ機器３０は、測定データ通知（データＤ１１）を送信すると、時間Ｔ１だけ受信許可状態になる（図９のステップＳ４６及び図８のステップＳ３１、Ｓ３４参照）。そして、受信許可状態の時間Ｔ１が経過すると、時間Ｔ１１（設定されているスリープ時間）だけスリープ状態になる（図９のステップＳ４１〜Ｓ４３参照）。
【０１１６】
センサ機器３０の測定データに基づく設備機器４０の制御については、実施形態１と同様であるため、説明を割愛する。
【０１１７】
次に、設備機器４０が第１の運転状態から第２の運転状態に変化したときの、その設備機器４０の運転状態に応じたスリープ時間に基づくセンサ機器３０のスリープ制御について説明する。本実施形態では、対象設備機器（例えば空気調和機）４０が現在の温度と設定温度との差が小さい状態で冷却を行っている運転状態を、第２の運転状態とする。
【０１１８】
対象設備機器４０の運転状態が第１の運転状態から第２の運転状態に変化すると、対象設備機器４０は、状態変化の情報（第２の運転状態に変化した旨）を含む状態情報通知（データＤ７１）を統合コントローラ１０へ送信する（図１２のステップＳ６２参照）。
【０１１９】
統合コントローラ１０は、対象設備機器４０から状態情報通知（データＤ７１）を受信すると、対象設備機器４０の状態情報（第２の運転状態）を基に決定された時間Ｔ１２（スリープ時間）を含むスリープ時間情報通知（データＤ５１）を対象無線親機２０に送信する（図６のステップＳ１２参照）。本実施形態では、時間Ｔ１２（スリープ時間）の決定の際、設備機器４０の消費電力（消費エネルギー）が大きいほど、スリープ時間を短くする。例えば現在の温度と設定温度との差が大きい状態での冷却を開始した場合には、現在の温度と設定温度との差が大きいほど、スリープ時間を短くする。すなわち、本実施形態では、時間Ｔ１２が時間Ｔ１１よりも長くなる。
【０１２０】
対象無線親機２０は、統合コントローラ１０からスリープ時間情報通知（データＤ５１）を受信すると、スリープ時間を時間Ｔ１２に設定する要求を含むスリープ時間設定要求（データＤ２１）を対象センサ機器３０へ送信する（図７のステップＳ２８参照）。このスリープ時間設定要求（データＤ２１）の送信は、ウェイクアップした対象センサ機器３０から測定データ通知（データＤ１２）を受信した直後（時間Ｔ１経過前）に行われるため、その時、対象センサ機器３０は受信許可状態になっている（図９のステップＳ４３〜Ｓ４５及び図７のステップＳ２５〜Ｓ２８参照）。
【０１２１】
対象センサ機器３０は、対象無線親機２０からスリープ時間設定要求（データＤ２１）を受信すると、スリープ時間設定要求（データＤ２１）に基づいてスリープ時間を設定して（図８のステップＳ３３参照）、そのスリープ時間に従ってスリープ状態になる（図９のステップＳ４１〜Ｓ４３参照）。すなわち、本実施形態では、対象設備機器４０が第２の運転状態にあるときには、対象センサ機器３０が、対象設備機器４０が第１の運転状態にあるときの時間Ｔ１１よりも長い時間Ｔ１２だけスリープ状態になることになる。また、この図１３の通信シーケンスでは、さらにその後、対象設備機器４０の運転状態が変化する前に、対象センサ機器３０がウェイクアップして（図９のステップＳ４３参照）、ウェイクアップした直後に測定データを取得して（図９のステップＳ４４参照）、その測定データを含む測定データ通知（データＤ１３）を対象無線親機２０へ送信する（図９のステップＳ４５参照）。そして、受信許可状態の時間Ｔ１だけ経過した後、再び対象センサ機器３０が時間Ｔ１２だけスリープ状態になる（図９のステップＳ４１〜Ｓ４３参照）。
【０１２２】
次に、設備機器４０が第２の運転状態から第３の運転状態に変化したときの、その設備機器４０の運転状態に応じたスリープ時間に基づくセンサ機器３０のスリープ制御について説明する。本実施形態では、対象設備機器（例えば空気調和機）４０における現在の温度と設定温度とが一致している運転状態を、第３の運転状態とする。
【０１２３】
対象設備機器４０の運転状態が第２の運転状態から第３の運転状態に変化すると、対象設備機器４０は、状態変化の情報（第３の運転状態に変化した旨）を含む状態情報通知（データＤ７２）を統合コントローラ１０へ送信する（図１２のステップＳ６２参照）。
【０１２４】
統合コントローラ１０は、対象設備機器４０から状態情報通知（データＤ７２）を受信すると、対象設備機器４０の状態情報（第３の運転状態）を基に決定された時間Ｔ１３（スリープ時間）を含むスリープ時間情報通知（データＤ５２）を対象無線親機４０に送信する（図６のステップＳ１２参照）。
【０１２５】
対象無線親機２０は、統合コントローラ１０からスリープ時間情報通知（データＤ５２）を受信すると、スリープ時間を時間Ｔ１３に設定する要求を含むスリープ時間設定要求（データＤ２２）を対象センサ機器へ送信する（図７のステップＳ２８参照）。このスリープ時間設定要求（データＤ２２）の送信は、ウェイクアップした対象センサ機器３０から測定データ通知（データＤ１４）を受信した直後（時間Ｔ１経過前）に行われるため、その時、対象センサ機器３０は受信許可状態になっている（図９のステップＳ４３〜Ｓ４５及び図７のステップＳ２５〜Ｓ２８参照）。
【０１２６】
対象センサ機器３０は、対象無線親機２０からスリープ時間設定要求（データＤ２２）を受信すると、スリープ時間設定要求（データＤ２２）に基づいてスリープ時間を設定して（図８のステップＳ３３参照）、そのスリープ時間に従ってスリープ状態になる（図９のステップＳ４１〜Ｓ４３参照）。すなわち、本実施形態では、対象設備機器４０が第３の運転状態にあるときには、対象センサ機器３０が、対象設備機器４０が第２の運転状態にあるときの時間Ｔ１２よりも長い時間Ｔ１３だけスリープ状態になることになる。
【０１２７】
以上説明したように、本実施形態の計測システムによれば、設備機器４０の運転状態に応じて、センサ機器３０のスリープ時間を段階的に設定し、センサ機器３０の電池の消耗を抑えることができる。本実施形態の計測システムによれば、対象設備機器４０が停止した場合に限られず、継続的に運転していても、運転状態に変化があれば、スリープ時間が更新される。このため、設備機器（例えば空気調和機）４０の運転状態に応じて、より精密に適切なスリープ時間を設定することが可能になる。
【０１２８】
本実施形態の計測システム１００では、制御部１１（スリープ時間決定部）が、設備機器４０が対象空間の環境に関する値を大きく変化させる運転状態であるほど（ひいては、消費エネルギー及び運転負荷が大きいほど）、センサ機器３０のスリープ時間を短くする（図６のステップＳ１２参照）。こうした構成によれば、設備機器４０の運転状態に応じて適切なスリープ時間を設定することが可能になり、より適切にセンサ機器３０の電池の消耗を抑えることが可能になる。
【０１２９】
なお、実施形態１と同様の構成及び処理については、本実施形態でも、前述した実施形態１の効果に準ずる効果が得られる。
【０１３０】
以上、本発明の実施形態について説明したが、各実施形態は以下のように変形されてもよい。
【０１３１】
上記各実施形態では、ウェイクアップした直後に、又は要求があったときに、センサ機器が測定データを取得し、送信するが、これに限られない。例えば通常時においては、所定の周期でセンサ部３５により測定データを取得（例えば温度及び湿度を測定）しつつ、その時々の測定データを記憶部３２に格納し、当該センサ機器のスリープ中は、センサ部３５の測定を停止するようにしてもよい。
【０１３２】
上記各実施形態では、ウェイクアップした直後に、スリープ時間を送信するか否かを判断して（図７のステップＳ２７参照）、送信すると判断した場合にのみ、制御部３１（スリープ制御部）へスリープ時間を送信する（図７のステップＳ２８参照）ようにしているが、これに限られない。ウェイクアップした直後に、必ず制御部３１（スリープ制御部）へスリープ時間を送信するようにしてもよい。
【０１３３】
上記各実施形態では、設備機器から直接的に統合コントローラ１０へ運転状態が送られるが、これに限られず、設備機器から間接的に（他の装置を経由して）統合コントローラ１０へ運転状態を送信するようにしてもよい。
【０１３４】
上記各実施形態では、統合コントローラ１０から直接的に設備機器へ制御情報が送られるが、これに限られず、統合コントローラ１０から間接的に（他の装置を経由して）設備機器へ制御情報を送信するようにしてもよい。
【０１３５】
上記各実施形態において、設備機器の運転状態に応じてセンサ機器のスリープ実行のタイミングを変更するようにしてもよい。具体的には、設備機器の運転状態に応じて、図８のステップＳ３１で判断されるスリープを実行するか否かの条件（第３設定時間）を変更するようにしてもよい。
【０１３６】
上記各実施形態において、設備機器の設備機器メイン制御部４３の機能を統合コントローラ１０の制御部１１に持たせてもよい。
【０１３７】
上記各実施形態において、統合コントローラの数、無線親機の数、センサ機器の数、及び設備機器の数はそれぞれ、任意である。
【０１３８】
無線親機２０の機能を統合コントローラ１０に持たせて、例えば図１４に示すように、無線親機２０を割愛してもよい。上記各実施形態では、統合コントローラ１０から間接的に（無線親機２０を経由して）センサ機器３０へスリープ時間が送られるが、これに限られず、例えば図１４に示すような構成にして、統合コントローラ１０から直接的にセンサ機器３０へスリープ時間を送信するようにしてもよい。また、上記各実施形態では、センサ機器３０から間接的に（無線親機２０を経由して）統合コントローラ１０へ測定データが送られるが、これに限られず、例えば図１４に示すような構成にして、センサ機器３０から直接的に統合コントローラ１０へ測定データを送信するようにしてもよい。図１４に示すような構成にしても、統合コントローラ１０の制御部１１が、スリープ時間を決定するとともに、そのスリープ時間を、センサ機器３０がウェイクアップした直後にそのセンサ機器３０へ送信するようにすることで、スリープ時間の受け渡しを確実に行うことが可能になる。この場合、制御部１１が、スリープ時間送信部に相当する。
【０１３９】
各実施形態において、設備機器４０の運転状態検出部４６（図５）を割愛して、図１５に示すように、計測システムが、ｍ個のセンサ５０＿１〜５０＿ｍを備える構成にしてもよい。以下、センサ５０＿１〜５０＿ｍの各々を特に区別しない場合、センサ５０と表記する。
【０１４０】
図１５に示す計測システムにおいて、センサ５０はそれぞれ、例えば設備機器４０の運転状態に対応する電力、照度、温湿度、又は風量を検出する。統合コントローラ１０は、センサ５０の各々と通信線Ｌ５で接続される。センサ５０はそれぞれ、設備機器４０の運転状態を検出し、その運転状態を統合コントローラ１０へ送信する。
【０１４１】
各実施形態において、無線親機２０に代えて有線の通信機器を用いて、この通信機器とセンサ機器３０との間を通信線でつないで（有線で）通信可能にしてもよい。
【０１４２】
各実施形態において、統合コントローラ１０と無線親機２０との間、統合コントローラ１０と設備機器４０との間は、それぞれ、無線ＬＡＮ等により無線で通信可能に接続されてもよい。
【０１４３】
各実施形態において、設備機器は空気調和機に限られず、対象空間の環境を調整する機器であればよい。環境は、実施形態にて例示した空気の温度、湿度の他に、空気の清浄度、気流、明るさ（照度）などを含む。すなわち、設備機器は例えば、対象空間における気流を調整する送風機、対象空間の明るさ（照度）を調整する照明装置などであってもよい。
【０１４４】
センサ機器は温湿度センサモジュールに限られず、設備機器が調整する環境に関する値を測定する機器であればよい。例えば、設備機器が送風機である場合、センサ機器は、風向き又は風量を測定する機器であればよい。例えば、設備機器が照明装置である場合、センサ機器は照度を測定する機器であればよい。
【０１４５】
上記各実施形態において、各通信の通信フォーマットは、任意である。例えばＸＭＬ（Extensible Markup Language）等を用いたテキスト形式を利用してもよいし、通信サイズを低減するためにバイナリ形式など他の形式を用いてもよい。また、通信情報を秘匿できるよう、通信の暗号化を行ってもよい。
【０１４６】
上記各実施形態において、データ又はプログラムを保持する記憶装置としては、任意の記憶装置を用いることが可能であり、ＲＯＭ、フラッシュメモリ、磁気記憶装置（ハードディスクドライブ、磁気カード、磁気テープなど）、又は光ディスクを用いてもよいし、その他の記憶装置を用いてもよい。用途等に応じて最適な記憶装置を選択することが好ましい。
【０１４７】
上記各実施形態において、統合コントローラ１０の機能は、専用のハードウェアによっても、また、汎用的なコンピュータシステム（例えばパーソナルコンピュータ）によっても実現することができる。
【０１４８】
上記各実施形態において、統合コントローラ、無線親機、センサ機器、又は設備機器が保持するプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることによっても、上述の処理を実行する装置を構成することができる。
【０１４９】
また、プログラムをインターネット等の通信ネットワーク上の所定のサーバ装置が有するディスク装置等に格納しておき、例えば、搬送波に重畳させて、コンピュータにダウンロード等するようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【０１５０】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【０１５１】
上記各実施形態では、設備機器の運転状態に基づいてセンサ機器のスリープ時間を決定したが、これに限られず、設備機器の運転状態に基づいてスリープ間隔を決定してもよい。設備機器の運転状態に基づいて単位時間当たりのスリープ時間を決定すれば、より適切にセンサ機器の電池の消耗を抑えることが可能になる。
【０１５２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１５３】
１０  統合コントローラ、１１  制御部、１２  記憶部、１３  時間管理部、１４，１５  通信Ｉ／Ｆ部、１６  ユーザＩ／Ｆ部、１７  制御情報作成部、２０，２０＿１〜２０＿ｉ  無線親機、２１  制御部、２２  記憶部、２３  時間管理部、２４，２５  通信Ｉ／Ｆ部、２６  ユーザＩ／Ｆ部、３０，３０＿１〜３０＿ｊ  センサ機器、３１  制御部、３２  記憶部、３３  時間管理部、３４  通信Ｉ／Ｆ部、３５  センサ部、３６  ユーザＩ／Ｆ部、４０，４０＿１〜４０＿ｋ  設備機器、４１  制御部、４２  記憶部、４３  設備機器メイン制御部、４４  通信Ｉ／Ｆ部、４５  内部通信Ｉ／Ｆ部、４６  運転状態検出部、５０，５０＿１〜５０＿ｍ  センサ、１００  計測システム。
【図１】
2014173745.tif 000003
【図２】
2014173745.tif 000004
【図３】
2014173745.tif 000005
【図４】
2014173745.tif 000006
【図５】
2014173745.tif 000007
【図６】
2014173745.tif 000008
【図７】
2014173745.tif 000009
【図８】
2014173745.tif 000010
【図９】
2014173745.tif 000011
【図１０】
2014173745.tif 000012
【図１１】
2014173745.tif 000013
【図１２】
2014173745.tif 000014
【図１３】
2014173745.tif 000015
【図１４】
2014173745.tif 000016
【図１５】
2014173745.tif 000017
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
対象空間の環境を調整する設備機器と、
前記対象空間における前記環境に関する値を測定するセンサ機器と、
前記センサ機器により測定された前記環境に関する値に基づいて前記設備機器を制御する統合コントローラと、を備え、
前記設備機器は、前記設備機器の運転状態を検出する運転状態検出部を有し、
前記統合コントローラは、前記運転状態検出部により検出された前記運転状態に基づいて前記センサ機器の単位時間当たりのスリープ時間を決定するスリープ時間決定部を有し、
前記センサ機器は、前記スリープ時間決定部により決定された前記単位時間当たりのスリープ時間に従って該センサ機器をスリープ状態にするスリープ制御部を有する、
ことを特徴とする計測システム。
【請求項２】
対象空間の環境を調整する設備機器と、
前記対象空間における前記環境に関する値を測定するセンサ機器と、
前記センサ機器により測定された前記環境に関する値に基づいて前記設備機器を制御する統合コントローラと、
前記設備機器の運転状態を検出し、該運転状態を前記統合コントローラへ送信する装置と、を備え、
前記統合コントローラは、前記運転状態に基づいて前記センサ機器の単位時間当たりのスリープ時間を決定するスリープ時間決定部を有し、
前記センサ機器は、前記スリープ時間決定部により決定された前記単位時間当たりのスリープ時間に従って該センサ機器をスリープ状態にするスリープ制御部を有する、
ことを特徴とする計測システム。
【請求項３】
前記設備機器は、
前記運転状態検出部により検出された前記運転状態に基づいて、前記設備機器の運転状態が変化したか否かを判断する状態変化判断部と、
前記状態変化判断部により前記設備機器の運転状態が変化したと判断された場合に、その変化後の運転状態を前記統合コントローラへ送信する運転状態送信部と、
をさらに有する、
ことを特徴とする請求項１に記載の計測システム。
【請求項４】
前記スリープ時間決定部は、前記設備機器の運転状態に基づいて前記単位時間当たりのスリープ時間を段階的に決定する、
ことを特徴とする請求項１から３のいずれか一項に記載の計測システム。
【請求項５】
前記スリープ時間決定部は、前記設備機器の消費エネルギーが大きいほど、前記センサ機器の単位時間当たりのスリープ時間を短くする、
ことを特徴とする請求項４に記載の計測システム。
【請求項６】
前記スリープ時間決定部は、前記設備機器が運転停止している場合は、前記センサ機器の単位時間当たりのスリープ時間を第１の時間とし、前記設備機器が運転している場合は、前記センサ機器の単位時間当たりのスリープ時間を、前記第１の時間よりも短い第２の時間とする、
ことを特徴とする請求項１から５のいずれか一項に記載の計測システム。
【請求項７】
前記スリープ時間決定部は、前記設備機器が前記対象空間の状態を大きく変化させる運転状態であるほど、前記センサ機器の単位時間当たりのスリープ時間を短くする、
ことを特徴とする請求項４に記載の計測システム。
【請求項８】
対象空間の環境を調整する設備機器の運転状態を受信する運転状態受信部と、
センサ機器により測定される前記環境に関する値を示す測定データを受信する測定データ受信部と、
前記運転状態に基づいて前記センサ機器の単位時間当たりのスリープ時間を決定するスリープ時間決定部と、
前記単位時間当たりのスリープ時間を送信するスリープ時間送信部と、
前記測定データに基づいて前記設備機器の制御情報を作成する制御情報作成部と、
前記制御情報作成部により作成された制御情報を送信する制御情報送信部と、
を備える、
ことを特徴とする統合コントローラ。
【請求項９】
前記スリープ時間決定部は、前記設備機器の運転状態に基づいて前記単位時間当たりのスリープ時間を段階的に決定する、
ことを特徴とする請求項８に記載の統合コントローラ。
【請求項１０】
前記スリープ時間決定部は、前記設備機器が運転停止している場合は、前記センサ機器の単位時間当たりのスリープ時間を第１の時間とし、前記設備機器が運転している場合は、前記センサ機器の単位時間当たりのスリープ時間を、前記第１の時間よりも短い第２の時間とする、
ことを特徴とする請求項８又は９に記載の統合コントローラ。
【請求項１１】
コンピュータを、
対象空間における現在の環境に関する値を測定するセンサ機器により測定された前記環境に関する値に基づいて、前記対象空間の前記環境を調整する設備機器を制御する設備機器制御部、
前記設備機器の運転状態を受信する運転状態受信部、
前記受信した運転状態に基づいて前記センサ機器の単位時間当たりのスリープ時間を決定するスリープ時間決定部、
前記スリープ時間決定部により決定された前記単位時間当たりのスリープ時間に従って前記センサ機器をスリープ状態にするスリープ制御部、
として機能させるためのプログラム。
【請求項１２】
前記スリープ時間決定部は、前記設備機器の運転状態に基づいて前記単位時間当たりのスリープ時間を段階的に決定する、
ことを特徴とする請求項１１に記載のプログラム。
【請求項１３】
前記スリープ時間決定部は、前記設備機器が運転停止している場合は、前記センサ機器の単位時間当たりのスリープ時間を第１の時間とし、前記設備機器が運転している場合は、前記センサ機器の単位時間当たりのスリープ時間を、前記第１の時間よりも短い第２の時間とする、
ことを特徴とする請求項１１又は１２に記載のプログラム。
【請求項１４】
運転状態検出部が、対象空間の環境を調整する設備機器の運転状態を検出し、
スリープ時間決定部が、前記検出された運転状態に基づいて、前記対象空間における前記環境に関する値を測定するセンサ機器の単位時間当たりのスリープ時間を決定し、
スリープ制御部が、前記決定された単位時間当たりのスリープ時間に従って前記センサ機器をスリープ状態にする、
ことを特徴とするセンサ機器制御方法。
【請求項１５】
状態変化判断部が、前記運転状態検出部により検出された前記運転状態に基づいて、前記設備機器の運転状態が変化したか否かを判断し、
前記スリープ時間決定部は、前記状態変化判断部により前記設備機器の運転状態が変化したと判断された場合に、その変化後の運転状態に基づいて、前記単位時間当たりのスリープ時間を決定する、
ことを特徴とする請求項１４に記載のセンサ機器制御方法。
【請求項１６】
前記スリープ時間決定部は、前記設備機器の運転状態に基づいて前記単位時間当たりのスリープ時間を段階的に決定する、
ことを特徴とする請求項１４又は１５に記載のセンサ機器制御方法。
【請求項１７】
前記スリープ時間決定部は、前記設備機器が運転停止している場合は、前記センサ機器の単位時間当たりのスリープ時間を第１の時間とし、前記設備機器が運転している場合は、前記センサ機器の単位時間当たりのスリープ時間を、前記第１の時間よりも短い第２の時間とする、
ことを特徴とする請求項１４から１６のいずれか一項に記載のセンサ機器制御方法。